(57)【要約】【課題】スクロール操作によって複数の項目を表示する際に利用者が所望の項目を把握することを支援する。【解決手段】表示画面に対するスクロール操作を受付ける操作受付部１００と、表示画面に表示された複数の項目のうち、利用者によって設定内容を変更された項目を、当該利用者により指定された項目として特定する特定手段１２１と、スクロールの結果、特定手段１２１により特定された項目が表示画面に対する基準位置に達すると、当該項目についてはスクロール対象から除外されるように、複数の項目をスクロール可能に表示する表示制御手段１２２と、を有する表示制御装置１を提供する。【選択図】図１Ａ
2019219792.tif 000002
【特許請求の範囲】
【請求項１】
表示画面に対するスクロール操作を受付ける受付手段と、
前記表示画面に表示された複数の項目のうち、利用者によって指定された１以上の項目を特定する特定手段と、
スクロールの結果、該指定された１以上の項目が前記表示画面に対する基準位置に達すると、当該１以上の項目についてはスクロール対象から除外されるように、前記複数の項目をスクロール可能に表示する表示制御手段と、
を有する表示制御装置。
【請求項２】
前記特定手段は、前記利用者に閲覧された設定内容に対応する項目を特定する、ことを特徴とする請求項１に記載の表示制御装置。
【請求項３】
前記特定手段は、前記利用者によって変更された設定内容に対応する項目を特定する、ことを特徴とする請求項１に記載の表示制御装置。
【請求項４】
前記基準位置は、前記表示画面の端部を基準とした位置によって規定される、ことを特徴とする請求項１乃至３の何れか１項に記載の表示制御装置。
【請求項５】
前記基準位置は、更に、各項目のサイズによって規定される、ことを特徴とする請求項４に記載の表示制御装置。
【請求項６】
スクロール対象から除外された項目の数が予め定められた上限値に達した後、スクロールの結果、前記基準位置に達する項目が新たに出現した場合、前記上限値が維持されるように、当該新たに出現した項目をスクロール対象から除外するとともに、スクロール対象から除外されたタイミングが古い項目から順にスクロール対象に戻す、ことを特徴とする請求項１乃至５の何れか１項に記載の表示制御装置。
【請求項７】
前記基準位置は、前記表示画面内における予め定められた領域として規定され、
前記表示制御手段は、スクロールの結果、前記基準位置に達する項目が新たに出現した場合、当該新たに出現した項目をスクロール対象から除外される項目として追加するとともに、既にスクロール対象から除外されている項目と当該追加された項目とが当該領域内に収まるように、スクロール対象から除外される１以上の項目のサイズを変更して表示する、ことを特徴とする請求項１乃至６の何れか１項に記載の表示制御装置。
【請求項８】
各項目は短辺と長辺とからなる矩形であって、
前記サイズの変更は、短辺は保たれたまま長辺が短くなることで実現される、ことを特徴とする請求項７に記載の表示制御装置。
【請求項９】
前記サイズが変更される項目は、タイミングが古いものほど縮小率が高い、ことを特徴とする請求項７または請求項８に記載の表示制御装置。
【請求項１０】
前記特定手段は、更に、スクロール対象から除外された１以上の項目をスクロール対象に変更する指定を受付ける、ことを特徴とする請求項１乃至９の何れか１項に記載の表示制御装置。
【請求項１１】
前記特定手段は、スクロール対象から除外された複数の項目に含まれる一の項目についてスクロール対象に変更する指定を受付けた場合、該指定された項目に加えて、該指定された項目よりもスクロール対象から除外されたタイミングが古い項目をスクロール対象に戻す、ことを特徴とする請求項１０に記載の表示制御装置。
【請求項１２】
各利用者によってなされた操作の履歴を記憶する記憶手段と、
前記利用者を識別する識別手段と、とを備え、
前記特定手段は、該識別された利用者の操作の履歴に基づいて項目を特定する、ことを特徴とする請求項１乃至１１の何れか１項に記載の表示制御装置。
【請求項１３】
前記特定手段は、予め定められた時間が経過すると、該特定された１以上の項目を無効にする、ことを特徴とする請求項１乃至１１の何れか１項に記載の表示制御装置。
【請求項１４】
コンピュータを、
表示画面に対するスクロール操作を受付ける受付手段と、
前記表示画面に表示された複数の項目のうち、利用者によって指定された１以上の項目を特定する特定手段と、
スクロールの結果、該指定された１以上の項目が前記表示画面に対する基準位置に達すると、当該１以上の項目についてはスクロール対象から除外されるように、前記複数の項目をスクロール可能に表示する表示制御手段と、
して機能させるプログラム。
【請求項１５】
画像処理部と
請求項１ないし１３の何れか１項に記載の表示制御装置と
前記表示画面と
を備え、
前記複数の項目は画像処理に関するものである
ことを特徴とする画像形成装置。
【発明の詳細な説明】
【技術分野】
【０００１】
本発明は、表示制御装置、画像形成装置、およびプログラムに関する。
【背景技術】
【０００２】
液晶パネルを表示装置として使用するユーザインタフェース（以下、ＵＩ）では、利用者の操作をタッチパネルにより受け付けるものが主流となっている。また、近年では、ＵＩ画面のデザインとして、複雑な階層構造を排除した単純で一覧性の高いリスト形式のデザインが好まれるようになってきている。リスト形式のデザインを採用するとＵＩ画面における表示項目数は必然的に増加する。一方で、ＵＩ画面の表示先となる表示装置における表示領域のサイズは限られているので、スクロール操作を行ってすべての項目を確認することが必要となる。
【０００３】
例えば、プリンタやスキャナ、ＦＡＸ送受信装置、或いはこれらの機能を併せ持つ複合機などの画像形成装置の利用者は、ジョブの開始に先立って、原稿サイズなどの入力系設定や、用紙種類、レイアウト指定などの出力系設定をスクロール操作を行いつつ確認或いは変更する必要がある。しかし、目視する項目数が多いと、確認作業は容易ではない。
そこで、スクロール操作を前提とする項目の確認作業を支援する技術が提案されている。例えば、特許文献１には、表示領域外にスクロールする直前に項目の表示サイズを拡大して強調表示することで、設定内容の確認を容易にすることが開示されている。
【先行技術文献】
【特許文献】
【０００４】
【特許文献１】特開２０１３−７７２３９号公報
【発明の概要】
【発明が解決しようとする課題】
【０００５】
リスト形式で一覧表示される項目数が多くなるほど、所望の項目の位置を記憶しておくことや、所望の項目までスクロールさせるために強いられる操作の負担が大きくなり、所望の項目を発見し、その項目の内容を確認するまでに要する時間も長くなる。
【０００６】
本発明は、スクロール操作によって複数の項目を表示する際に利用者が所望の項目を把握することを支援する技術を提供することを目的とする。
【課題を解決するための手段】
【０００７】
請求項１に係る発明は、表示画面に対するスクロール操作を受付ける受付手段と、前記表示画面に表示された複数の項目のうち、利用者によって指定された１以上の項目を特定する特定手段と、スクロールの結果、該指定された１以上の項目が前記表示画面に対する基準位置に達すると、当該１以上の項目についてはスクロール対象から除外されるように、前記複数の項目をスクロール可能に表示する表示制御手段とを有する表示制御装置である。
請求項２に係る発明は、請求項１に記載の表示制御装置において、前記特定手段は、前記利用者に閲覧された設定内容に対応する項目を特定する、ことを特徴とする。
請求項３に係る発明は、請求項１に記載の表示制御装置において、前記特定手段は、前記利用者によって変更された設定内容に対応する項目を特定する、ことを特徴とする。
請求項４に係る発明は、請求項１乃至３の何れか１項に記載の表示制御装置において、前記基準位置は、前記表示画面の端部を基準とした位置によって規定される、ことを特徴とする。
請求項５に係る発明は、請求項４に記載の表示制御装置において、前記基準位置は、更に、各項目のサイズによって規定される、ことを特徴とする。
請求項６に係る発明は、請求項１乃至５の何れか１項に記載の表示制御装置において、スクロール対象から除外された項目の数が予め定められた上限値に達した後、スクロールの結果、前記基準位置に達する項目が新たに出現した場合、前記上限値が維持されるように、当該新たに出現した項目をスクロール対象から除外するとともに、スクロール対象から除外されたタイミングが古い項目から順にスクロール対象に戻す、ことを特徴とする。
請求項７に係る発明は、請求項１乃至６の何れか１項に記載の表示制御装置において、前記基準位置は、前記表示画面内における予め定められた領域として規定され、前記表示制御手段は、スクロールの結果、前記基準位置に達する項目が新たに出現した場合、当該新たに出現した項目をスクロール対象から除外される項目として追加するとともに、既にスクロール対象から除外されている項目と当該追加された項目とが当該領域内に収まるように、スクロール対象から除外される１以上の項目のサイズを変更して表示する、ことを特徴とする。
請求項８に係る発明は、請求項７に記載の表示制御装置において、各項目は短辺と長辺とからなる矩形であって、前記サイズの変更は、短辺は保たれたまま長辺が短くなることで実現される、ことを特徴とする。
請求項９に係る発明は、請求項７または請求項８に記載の表示制御装置において、前記サイズが変更される項目は、タイミングが古いものほど縮小率が高い、ことを特徴とする。
請求項１０に係る発明は、請求項１乃至９の何れか１項に記載の表示制御装置において、前記特定手段は、更に、スクロール対象から除外された１以上の項目をスクロール対象に変更する指定を受付ける、ことを特徴とする。
請求項１１に係る発明は、請求項１０に記載の表示制御装置において、前記特定手段は、スクロール対象から除外された複数の項目に含まれる一の項目についてスクロール対象に変更する指定を受付けた場合、該指定された項目に加えて、該指定された項目よりもスクロール対象から除外されたタイミングが古い項目をスクロール対象に戻す、ことを特徴とする。
請求項１２に係る発明は、請求項１乃至１１の何れか１項に記載の表示制御装置において、各利用者によってなされた操作の履歴を記憶する記憶手段と、前記利用者を識別する識別手段と、とを備え、前記特定手段は、該識別された利用者の操作の履歴に基づいて項目を特定する、ことを特徴とする。
請求項１３に係る発明は、請求項１乃至１１の何れか１項に記載の表示制御装置において、前記特定手段は、予め定められた時間が経過すると、該特定された１以上の項目を無効にする、ことを特徴とする。
【０００８】
請求項１４に係る発明は、コンピュータを、表示画面に対するスクロール操作を受付ける受付手段と、前記表示画面に表示された複数の項目のうち、利用者によって指定された１以上の項目を特定する特定手段と、スクロールの結果、該指定された１以上の項目が前記表示画面に対する基準位置に達すると、当該１以上の項目についてはスクロール対象から除外されるように、前記複数の項目をスクロール可能に表示する表示制御手段と、して機能させるプログラムである。
【０００９】
請求項１５に係る発明は、画像処理部と上記表示制御装置と前記表示画面とを備え、前記複数の項目は画像形成に関するものであることを特徴とする画像形成装置である。
【発明の効果】
【００１０】
請求項１、１４、１５に係る発明によれば、スクロール操作によって複数の項目を表示する際に、利用者による項目の把握が支援される。
請求項２に係る発明によれば、利用者によって閲覧された設定内容に対応する項目の把握が支援される。
請求項３に係る発明によれば、利用者によって変更された設定内容に対応する項目の把握が支援される。
請求項４に係る発明によれば、利用者によって指定された１以上の項目が表示画面の端部を基準とした位置に達したことを契機として当該１以上の項目がスクロール対象から除外されるように、複数の項目の表示制御を行われる。
請求項５に係る発明によれば、利用者によって指定された１以上の項目が表示画面の端部および各項目のサイズによって規定される位置に達したことを契機として当該１以上の項目がスクロール対象から除外されるように、複数の項目の表示制御が行われる。
請求項６に係る発明によれば、基準位置へ到達したタイミングが遅い順に最大で上記上限値分の個数の項目がスクロール対象から除外される。
請求項７に係る発明によれば、利用者により指定された項目を、表示画面内における予め定められた領域として規定された基準位置に達したことを契機としてスクロール対象から除外し、既にスクロール対象から除外されている項目と新たに除外される項目とが上記領域内に表示される。
請求項８に係る発明によれば短辺と長辺とからなる矩形の項目の短辺を保ったまま長辺を短くして上記領域内に収まるように表示される。
請求項９に係る発明によれば、スクロール対象から除外されたタイミングが古い項目ほど高い縮小率で縮小表示される。
請求項１０に係る発明によれば、スクロール対象から除外された１以上の項目を利用者の指定に応じてスクロール対象に戻すことが可能になる。
請求項１１に係る発明によれば、スクロール対象に戻すことを指定された項目に加えて、該指定された項目よりもスクロール対象から除外されたタイミングが古い項目をスクロール対象に戻すことが可能になる。
請求項１２に係る発明によれば、スクロール対象から除外する１以上の項目を、識別済みの利用者によってなされた操作の履歴に基づいて特定することが可能になる。
請求項１３に係る発明によれば、スクロール対象から除外された項目を、その除外のタイミングから予め定められた時間が経過した時点でスクロール対象に戻すことが可能になる。
【図面の簡単な説明】
【００１１】
【図１Ａ】本発明の第１実施形態による表示制御装置１の構成例を示す図である。
【図１Ｂ】同表示制御装置１を含む画像形成装置における設定項目の一例を示す図である。
【図２】同表示制御装置１の動作例を示す図である。
【図３】同表示制御装置１における項目のスクロール例を示す図である。
【図４】同表示制御装置１における項目のスクロール例を示す図である。
【図５】同表示制御装置１における項目のスクロール例を示す図である。
【図６】同表示制御装置１における項目のスクロール例を示す図である。
【図７】同表示制御装置１における項目のスクロール例を示す図である。
【図８】同表示制御装置１における項目のスクロール例を示す図である。
【図９】同表示制御装置１における項目のスクロール例を示す図である。
【図１０】本発明の第２実施形態における項目のスクロール例を示す図である。
【図１１】同第２実施形態における項目のスクロール例を示す図である。
【図１２】同第２実施形態における項目のスクロール例を示す図である。
【図１３】同第２実施形態における項目のスクロール例を示す図である。
【図１４】同第２実施形態における項目のスクロール例を示す図である。
【図１５】同第２実施形態における項目のスクロール例を示す図である。
【図１６】同第２実施形態における項目のスクロール例を示す図である。
【図１７】同第２実施形態における項目のスクロール例を示す図である。
【図１８】同第２実施形態における項目のスクロール例を示す図である。
【図１９】同第２実施形態における項目のスクロール例を示す図である。
【図２０】同第２実施形態における項目のスクロール例を示す図である。
【図２１】本発明の第３実施形態における項目のスクロール例を示す図である。
【図２２】同第３実施形態における項目のスクロール例を示す図である。
【図２３】同第３実施形態における項目のスクロール例を示す図である。
【図２４】同第３実施形態における項目のスクロール例を示す図である。
【図２５】変形例における項目のスクロール例を示す図である。
【図２６】同変形例における項目のスクロール例を示す図である。
【発明を実施するための形態】
【００１２】
以下、図面を参照しつつ本発明の実施形態を説明する。
（第１実施形態）
図１Ａは、本発明の第１実施形態による表示制御装置１の全体構成の一例を示す図である。表示制御装置１は、複合機などの画像形成装置に組み込まれ、当該画像形成装置を利用者に使用させるためのＵＩ画面の表示制御を行う装置である。図１Ａに示すように、表示制御装置１は、操作受付部１００と、記憶部１１０と、表示制御部１２０と、これら各構成要素間のデータ授受を仲介するバス１３０と、を有する。
【００１３】
図１Ａには、表示制御装置１による制御の下でＵＩ画面を表示する表示部１４０が表示制御装置１とともに図示されている。表示部１４０は、例えば液晶ディスプレイである。表示部１４０に表示されるＵＩ画面の一例としては、表示制御装置１を含む画像形成装置における各種設定に対応した項目をリスト形式に配列した設定画面が挙げられる。図１Ｂには、画像形成装置における各種設定項目のうち、複写（コピー）についての設定項目が図示されている。本実施形態における複写に関する設定項目は、図１Ｂに示すように、印刷部数、印刷に使用する用紙のトレイ、印刷濃度・・・アノテーションの１６種類であるが、これら設定項目の内容や数は例示である。
【００１４】
操作受付部１００は、例えばシート状に形成された透明な感圧センサ或いは静電センサである。操作受付部１００は、表示部１４０の表示領域を覆うように表示部１４０に貼り付けられている。操作受付部１００および表示部１４０は、表示制御部１２０による制御の下、所謂タッチパネルを形成し、表示画面に対するタッチ操作やスクロール操作などの利用者の操作を受け付ける受付手段として機能する。表示制御装置１を含む画像形成装置の利用者は、上記タッチパネルに表示される設定画面に対するタッチ操作を行うことで、所望の項目を指定することができ、指定した項目に対応する設定内容の閲覧、或いは設定内容の変更を行うことができる。操作受付部１００は、利用者の操作内容に応じた操作内容データを表示制御部１２０へ出力する。これにより、利用者の操作内容が表示制御部１２０に伝達される。
【００１５】
記憶部１１０は、図１Ａでは詳細な図示を省略したが、例えばＲＡＭ（Random Access Memory）などの揮発性記憶部とフラッシュメモリなどの不揮発性記憶部とを含む。不揮発性記憶部には、ＵＩ画面の表示制御を表示制御部１２０に実行させるためのプログラムが予め格納されている。不揮発性記憶部は、当該プログラムを実行する際のワークリアとして表示制御部１２０によって利用される。また、不揮発性記憶部は、表示制御装置１を含む画像形成装置についての各種設定の内容を表す設定データ、各種設定についてのデフォルト値（例えば、画像形成装置の工場出荷時の設定内容）を表すデータを格納する設定記憶部１１１の役割を担う。揮発性記憶部は、ＵＩ画面の表示制御のための各種データを記憶する操作領域管理部１１２の役割を担う。
【００１６】
表示制御部１２０は、例えばＣＰＵ（Central Processing Unit）である。表示制御部１２０は、記憶部１１０に記憶されているプログラムにしたがって作動し、各種ＵＩ画面の表示制御を行う。例えば、設定画面の表示を指示する操作を示す操作内容データを操作受付部１００から受け取った場合には、表示制御部１２０は、設定記憶部１１１に記憶されている設定データにしたがって設定画面を表示部１４０に表示させる。
【００１７】
本実施形態における設定画面は、複数の設定項目を縦方向（項目の内容を表す文字列を構成する文字の配列方向と直交する方向）に並べたリスト形式の画像である。例えば、操作受付部１００に対する操作により複写についての設定画面の表示指示を与えられると、表示制御部１２０は、図１Ｂに示す「部数」から「アノテーション」までの各項目を縦方向に配列した設定画面（図３参照）を表示部１４０に表示させる。
【００１８】
表示部１４０における表示領域のサイズには限りがあり、複写に関する全ての設定項目を一度に表示することはできない。このため、本実施形態の表示制御部１２０は、設定画面の表示開始時点では、図３に示すように、「部数」から「原稿サイズ」までの項目を表示部１４０の表示領域に表示し、「原稿の画質」以降の項目については利用者のスクロール操作に応じて表示部１４０に表示する。すなわち、上記プログラムにしたがって作動している表示制御部１２０は、操作受付部１００に対して為されたスクロール操作（例えば、操作受付部１００を利用者の指先ＵＦで図３における矢印方向になぞる操作）に応じて表示部１４０の表示画面をスクロールさせる。
【００１９】
また、上記プログラムにしたがって作動している表示制御部１２０は、図１Ａに示すように、特定手段１２１、および表示制御手段１２２として機能し、この点に本実施形態の特徴が現れている。以下、本実施形態の特徴を顕著に示す特定手段１２１および表示制御手段１２２を中心に説明する。
【００２０】
特定手段１２１は、設定画面の表示開始を契機として、当該設定画面に表示される複数の項目のうち利用者によって指定された１以上の項目を設定記憶部１１１の格納内容から特定する。本実施形態における特定手段１２１は、設定記憶部１１１の格納内容を参照し、利用者によってデフォルト値から設定内容が変更された項目を、利用者によって指定された指定項目として特定するが、利用者によって設定内容が閲覧され項目を指定項目として特定されてもよい。要は、利用者が設定内容を閲覧或いは変更した項目のように利用者が関心を示した項目を、指定項目として特定すればよい。また、本実施形態における特定手段１２１は設定画面の表示開始を契機として指定項目を特定するが、設定内容の閲覧または変更が行われる毎に当該閲覧または変更が行われた項目を指定項目として特定してもよい。また、画像形成装置の利用開始に先立って利用者の認証が行われる場合には、その認証を行った時点で利用者毎に指定項目を特定してもよい。
【００２１】
表示制御手段１２２は、特定手段１２１によって特定された指定項目が設定画面に対して予め定められた基準位置に達すると、当該指定項目がスクロール対象から除外されるように、複数の項目をスクロール可能に表示する。本実施形態では、基準位置は表示画面の端部を基準とした位置によって規定される。本実施形態における設定画面は、複数の項目を縦方向に配列した画面であり、項目のスクロールは縦方向に行われる。このため、本実施形態では、設定画面の上側の端部が上記基準位置となっており、この基準位置を示すデータは操作領域管理部１１２に記憶されている。なお、設定画面として複数の項目を横方向にリスト形式で配列した画面を用いる場合には、項目のスクロールは横方向（上記縦方向と直交する方向、すなわち左右方向）に行われるので、設定画面の左側（或いは右側）の端部を上記基準位置とすればよい。
【００２２】
また、表示制御手段１２２は、スクロール対象から除外された指定項目の数が予め定められた上限値Ｍ（Ｍは１以上の自然数：本実施形態では、Ｍ＝１）に達した後、スクロールの結果、上記基準位置に達する指定項目が新たに出現した場合には、上限値Ｍが維持されるように、当該新たに出現した指定項目をスクロール対象から除外するとともに、スクロール対象から除外されていた指定項目をスクロール対象に戻す。なお、上限値Ｍを示すデータ、およびスクロール対象から除外された指定項目の数を示すカウンタも操作領域管理部１１２に記憶される。
【００２３】
図２は、表示制御装置１の設定画面における項目の描画処理の概要を示す。
特定手段１２１は、ユーザによって指定された項目を特定する（Ｓ５０２）。そして、ユーザによるスクロール操作を受け付けると（Ｓ５０４：ＹＥＳ）、描画内容を更新する対象の項目の位置が基準位置に達しているか否かを判定する（Ｓ５０６）。基準位置に達していない場合（Ｓ５０６：ＮＯ）は、当該項目をスクロール対象であると決定する（Ｓ５１０）。当該項目が基準位置に達している場合は（Ｓ５０６：ＹＥＳ）、その項目がユーザによって指定された項目である否かを判定する（Ｓ５０８）。指定された項目でない場合は（Ｓ５０６：ＮＯ）、当該項目をスクロール対象であると決定する（Ｓ５１０）。指定された項目である場合は（Ｓ５０８：ＹＥＳ）、スクロール対象から除外する（Ｓ５１２）。
このようにして、表示制御部１２０は、描画すべき全ての項目について、スクロールの対象であるか、そうでないか（スクロール対象から除外するか）を決定し、決定した結果に基づいて、画面の更新を行う（Ｓ５１４）。
【００２４】
以下、複写に関する設定画面を例にとって、表示制御装置１による描画処理の例を図３〜図９を参照しつつ具体的に説明する。
なお、以下の図３〜図９における星印ＳＭは、説明の便宜上、指定項目であることを示すものであって、実際に表示される必要はないが、指定項目とそれ以外の項目とを利用者が区別できるように実際に表示されていてもよい。本実施形態では、指定項目に当該識別画像を付与して表示する。なお、識別画像としの星印の付与するのは、項目を区別して表示する方法の一例にすぎない。
以下では、図１Ｂに示す１６種類の項目のうち、「倍率」、「両面」、「仕分け」、および「Ｎｕｐ」の４つについて、その設定内容がデフォルトの設定内容から変更されている場合を例にとって説明する。
【００２５】
前述したように、複写に関する設定画面の表示開始時点では、表示制御部１２０は、図３に示すように、「部数」から「原稿サイズ」までの項目を表示部１４０の表示領域に表示させ、「原稿の画質」以降の項目については利用者のスクロール操作に応じて表示部１４０に表示させる。特定手段１２１は、設定画面の表示開始を契機として指定項目を特定する。本動作例では、特定手段１２１は、「倍率」、「両面」、「仕分け」、および「Ｎｕｐ」の４つの項目を指定項目として特定する。表示制御手段１２２は、特定手段１２１により指定項目を示す文字列に上記識別画像（星印ＳＭ）を付して設定画面に表示する。
【００２６】
図３に示す設定画面を視認した利用者は、図３における矢印方向に操作受付部１００を指先ＵＦでなぞる操作を行うことで、項目のスクロールを表示制御装置１に指示することができる。この操作が行われると、操作受付部１００は、この操作に応じた操作内容データを表示制御部１２０に引き渡し、これにより利用者の操作内容が表示制御部１２０に伝達される。表示制御部１２０は、利用者の操作内容に応じて項目のスクロールを行う。
【００２７】
前述したように、表示制御手段１２２は、特定手段１２１によって特定された指定項目が基準位置に達すると、当該指定項目についてはスクロール対象から除外されるように、複数の項目をスクロール可能に表示する。「部数」および「用紙トレイ」の各項目は、何れも指定項目ではないため、スクロール対象から除外されることはなく、表示領域外へスクロールされる（図４参照）。これに対して、「倍率」は指定項目であるため、図４に示すように、「倍率」が基準位置に達すると、表示制御手段１２２は、「倍率」をスクロール対象から除外し、後続の複数の項目をスクロール可能に表示する（図５参照）。
【００２８】
図５に示す状態から利用者がさらにスクロール操作を継続し、図６に示すように「倍率」の次の指定項目である「両面」が基準位置に到達すると、表示制御手段１２２は、上限値Ｍが維持されるように、当該新たに出現した指定項目「両面」をスクロール対象から除外するとともに、スクロール対象から除外されたタイミングが「両面」よりも古い指定項目である「倍率」をスクロール対象に戻す（図７および図８参照）。以降、表示制御手段１２２は、「両面」の次の指定項目である「仕分け」が基準位置に到達するまで、指定項目「両面」をスクロール対象から除外し、基準位置近傍に表示し続ける（図９参照）。
するための図である。
【００２９】
以上説明したように、本実施形態の表示制御装置１によれば、利用者により指定された複数の指定項目の各々は、次の指定項目が基準位置に到達するまでスクロール対象から除外され、基準位置近傍に表示され続ける。このため、表示制御装置１を含む画像形成装置における各種設定に対応する複数の項目の内容をスクロール操作を行って確認する際に、利用者が関心を示した項目の把握することができる。また、スクロール対象から除外された項目であっても、次の指定項目が基準位置に到達したタイミングで再度スクロール対象に戻される。よって、利用者に特段の手間をかけさせることなく、項目のスクロール対象からの除外および除外の解除を実現することができる。換言すると、項目の視認性の担保と漏れのない項目の確認とを両立させることが可能になる。
【００３０】
（第２実施形態）
上記第１実施形態では、スクロール対象から除外する指定項目数の上限値Ｍが１であったが、上限値Ｍは２以上の自然数であっても勿論よい。また、上記第１実施形態では、設定画面の端部を基準とした位置によって基準位置が規定されたが、設定画面の端部を基準とした位置と各項目のサイズとによって基準位置が規定されてもよい。
【００３１】
本実施形態における表示制御手段１２２は、スクロール対象から除外された項目の数が予め定められた上限値Ｍに達した後、スクロールの結果、上記基準位置に達する項目が新たに出現したことを契機として上限値Ｍが維持されるように、当該新たに出現した指定項目をスクロール対象から除外するとともに、スクロール対象から除外されていた指定項目を除外されたタイミングが古いものから順にスクロール対象に戻す処理を実行する。
【００３２】
図１０から図２０は、上限値Ｍ＝３の場合の表示制御装置１の動作例を示す図である。図１０から図１４に示す画面遷移と図３〜図６に示す画面遷移とを比較すれば明らかなように、「倍率」の次の指定項目である「両面」が基準位置に到達するまでの動作は第１実施形態における動作と特段に変わるところはない。本実施形態では、上限値Ｍ＝３であるため、表示制御手段１２２は、当該新たに出現した指定項目「両面」が基準位置に達しても「倍率」をスクロール対象から除外したままとし（図１５参照）、さらに次の指定項目である「仕分け」が基準位置に達しても「倍率」および「両面」をスクロール対象から除外したままとする（図１６参照）。そして、表示制御手段１２２は、図１７に示すように４つ目の指定項目「Ｎｕｐ」が基準位置に達してことを契機として、スクロール対象から除外されたタイミングが最も古い指定項目である「倍率」をスクロール対象に戻し（図１８参照）、以降、「両面」、「仕分け」および「Ｎｕｐ」の３つの指定項目をスクロール対象から除外して基準位置近傍に表示し続ける（図１９、図２０参照）。
【００３３】
以上説明したように、本実施形態によれば、最大でＭ個の指定項目がスクロール対象から除外され、基準位置近傍に表示され続ける。このため、表示制御装置１を含む画像形成装置における各種設定に対応する複数の項目をスクロール操作を行って確認する際に、利用者が最大でＭ個の指定項目の内容を同時に把握することができる。なお、スクロール対象から除外された項目数の上限値Ｍについては、表示制御装置１を含む画像形成装置の利用者の嗜好、項目の視認性、および表示部１４０の表示領域のサイズ等に応じて適宜決定すればよい。例えば、指定項目以外の項目の視認に悪影響が生じないようにするという観点からは、最大でも表示部１４０の表示領域に縦方向に表示可能な項目数の３０〜５０％の値（或いは、当該値＋１或いは当該値−１など当該値の近傍の値）であることが好ましい。
【００３４】
（第３実施形態）
上記第１および第２実施形態における特定手段１２１は、利用者によって変更された設定内容に対応する項目を指定項目（すなわち、スクロール対象から除外する項目）として特定した。これに対して、本実施形態の特定手段１２１は、更に、スクロール対象から除外された１以上の項目を、スクロール対象に変更する指定を受付ける点が第１および第２実施形態における特定手段１２１と異なる。
【００３５】
より詳細に説明すると、本実施形態における特定手段１２１は、スクロール対象から除外された複数の項目のうちの何れか１つについてスクロール対象に変更する操作を操作受付部１００を介して受付けた場合、当該項目に加えて当該項目よりもスクロール対象から除外されたタイミングが古い項目をスクロール対象に戻す。以下、複写に関する設定項目（図１Ｂ参照）のうち、「倍率」、「両面」、「仕分け」、および「Ｎｕｐ」の４つの項目が特定手段１２１によって特定される指定項目であり、図２１に示すようにこれら４つの指定項目がスクロール対象から除外されて表示されている場合（すなわち、上限値Ｍ＝４の場合）を例にとって本実施形態の動作を説明する。
【００３６】
図２１に示す設定画面が表示部１４０に表示されている状態において、「両面」をスクロール対象に戻す操作（図２２に示すように、指定項目「両面」を上側へスクロールさせる操作）を利用者が操作受付部１００に対して行ったとする。当該利用者の操作内容は操作受付部１００から表示制御部１２０へ伝達され、表示制御手段１２２は、スクロール対象に戻すことを指定された指定項目「両面」に加えて、該指項目よりもスクロール対象から除外されたタイミングが古い指定項目「倍率」をスクロール対象に戻す。その結果、図２３および図２４に示すように、指定項目「倍率」および「両面」は表示部１４０の表示領域外へスクロールされる。
【００３７】
以上説明したように、本実施形態によっても、第１実施形態と同様、利用者により指定された複数の指定項目の各々は、次の指定項目が基準位置に到達するまでスクロール対象から除外されて基準位置近傍に表示され続ける。したがって、本実施形態によっても上記第１実施形態と同じ効果が得られる。加えて、本実施形態によれば、スクロール対象から除外された項目を簡単な操作でスクロール対象に戻すことが可能になる。なお、本実施形態では、スクロール対象に戻すことを指定された項目に加えて、当該指定された項目よりもスクロール対象から除外されたタイミングが古い項目をスクロール対象に戻したが、指定された項目のみをスクロール対象に戻す態様であっても勿論よい。
【００３８】
（変形）
以上、本発明の第１、第２および第３実施形態について説明したが、上記各実施形態を以下の変形例のように変形してもよい。また、複数の変形例を組み合せてもよい。
＜変形例１＞
利用者によってなされた操作の履歴を記憶する記憶手段の役割を記憶部１１０に担わせるとともに、表示制御部１２０を上記特定手段１２１および表示制御手段１２２に加えて、利用者を識別する識別手段として機能させ、特定手段１２１には、識別手段により識別された利用者の操作の履歴に基づいて、１以上の指定項目を特定する処理を実行させてもよい。また、特定手段１２１による特定から予め定められた時間が経過した指定項目を無効にする（すなわち、スクロール対象に戻す）処理を、表示制御部１２０に実行させてもよい。
【００３９】
＜変形例２＞
上記第２実施形態のように設定画面の端部（縁）からＭ（Ｍは２以上の自然数）個分の縦幅に応じた位置を基準位置とする態様においては、設定画面の端部から当該基準位置までの領域（以下、ロック領域）に、項目のサイズを変更してＭ個より多い数の項目を表示してもよい。具体的には、スクロールの結果、基準位置に達する項目が新たに出現した場合、表示制御手段１２２には、当該新たに出現した項目をスクロール対象から除外される項目として追加するとともに、既にスクロール対象から除外されている項目と当該追加された項目とがロック領域内に収まるようにスクロール対象から除外される複数の項目の各々のサイズを変更（例えば、縦方向１／２）して表示する処理を実行させるようにすればよい。
【００４０】
また、上記実施形態のように、各項目が短辺と長辺とからなる矩形である場合には、サイズ変更後においても項目を判別可能にするために、短辺（縦方向の辺）の長さを保ったまま長辺を短くし（例えば、１／３等）、サイズ変更前の項目一つ分の領域に複数の項目を横方向に並べて表示してもよい。また、サイズが変更される項目は、スクロール対象から除外されたタイミングが古いものほど縮小率が高いことが好ましい。例えば上限値Ｍ＝４の場合、スクロール対象から除外されたタイミングが最も早い項目と当該タイミングが２番目に早い項目については、長辺を１／２に縮小して横方向に並べて表示し、上記タイミングが３番目および４番目の項目についてはサイズ変更を行わずに表示する態様が考えられる。スクロール対象から除外されたタイミングが古い項目ほど、利用者はその設定内容を十分に把握済みであると考えられるからである。
【００４１】
例えば、図２５および図２６に示す例は、ロック領域は項目２つ分のサイズであり、ロック領域内に表示可能な項目数の最大値を４と設定した場合である。図２５に示すように、ロック領域内に３つ目の項目を表示させる場合は先に表示されていた項目の横幅を１／２にして表示する。このサイズ変更によって、項目名と設定内容とが表示しきれない場合があるが、項目名および／または設定内容は一部を省略して表示してもよい。
図２５の状態から、スクロール操作によってロック領域に表示させるべき新たな項目が出現した場合、図２６に示すように、サイズ変更されていない項目をサイズ変更するとともに、当該新たな項目を１／２に縮小してロック領域に表示する。
【００４２】
＜変形例３＞
上記各実施形態では、画像形成装置におけるＵＩ画面の表示制御への本発明の適用例を説明したが、スマートフォン又はタブレット端末などの携帯型情報端末に本発明の表示制御装置を組み込み、携帯型情報端末におけるＵＩ画面の表示制御に本発明を適用してもよい。
【００４３】
＜変形例４＞
上記の各実施形態では、受付手段、特定手段１２１および表示制御手段１２２をソフトウェアで実現する例を示したが、これら手段の何れか１つ又は全部をハードウェア回路で実現してもよい。このソフトウェアを、光記録媒体や半導体メモリなど、コンピュータで読み取り可能な記録媒体に記録して提供し、この記録媒体からソフトウェアを読み取ってインストールするようにしてもよい。また、このソフトウェアを電気通信回線で提供してもよい。
【符号の説明】
【００４４】
１…表示制御装置、１００…操作受付部、１１０…記憶部、１１１…設定記憶部、１１２…操作領域管理部、１２０……表示制御部、１２１…特定手段、１２２…表示制御手段、１３０…バス、１４０…表示部。
【図１Ａ】
2019219792.tif 000003
【図１Ｂ】
2019219792.tif 000004
【図２】
2019219792.tif 000005
【図３】
2019219792.tif 000006
【図４】
2019219792.tif 000007
【図５】
2019219792.tif 000008
【図６】
2019219792.tif 000009
【図７】
2019219792.tif 000010
【図８】
2019219792.tif 000011
【図９】
2019219792.tif 000012
【図１０】
2019219792.tif 000013
【図１１】
2019219792.tif 000014
【図１２】
2019219792.tif 000015
【図１３】
2019219792.tif 000016
【図１４】
2019219792.tif 000017
【図１５】
2019219792.tif 000018
【図１６】
2019219792.tif 000019
【図１７】
2019219792.tif 000020
【図１８】
2019219792.tif 000021
【図１９】
2019219792.tif 000022
【図２０】
2019219792.tif 000023
【図２１】
2019219792.tif 000024
【図２２】
2019219792.tif 000025
【図２３】
2019219792.tif 000026
【図２４】
2019219792.tif 000027
【図２５】
2019219792.tif 000028
【図２６】
2019219792.tif 000029